(57)【要約】【課題】放射線遮蔽能を高く維持しつつ軽量化を図ることが可能な分注投与装置を提供する。【解決手段】放射性薬液を必要量分注して投与するための分注投与装置１０であって、放射性薬液を収容する放射性薬液収容容器１２、放射性薬液を吸引吐出する薬液用吸引吐出器１８、及びこれらを繋ぎ放射性薬液を送り出す薬液搬出ラインＬ１を囲む第１の放射線遮蔽箱６２と、第１の放射線遮蔽箱６２、薬液搬出ラインＬ１に接続された薬液投与ラインＬ２、及び放射性薬液を搬送する搬送液を吸引吐出し薬液投与ラインＬ２に供給する搬送液用吸引吐出器３２を囲み、第１の放射線遮蔽箱６２よりも遮蔽能力の低い第２の放射線遮蔽箱６０と、を備える。【選択図】図１
2008000201.tif 000002
【特許請求の範囲】
【請求項１】
放射性薬液を必要量分注して投与するための分注投与装置であって、
放射性薬液を収容する放射性薬液収容容器、放射性薬液を吸引吐出する薬液用吸引吐出器、及びこれらを繋ぎ放射性薬液を搬出する薬液搬出ラインを囲む第１の放射線遮蔽箱と、
前記第１の放射線遮蔽箱、前記薬液搬出ラインに接続される薬液投与ライン、及び放射性薬液を搬送する搬送液を吸引吐出し前記薬液投与ラインに供給する搬送液用吸引吐出器を囲み、前記第１の放射線遮蔽箱よりも遮蔽能力の低い第２の放射線遮蔽箱と、
を備えることを特徴とする分注投与装置。
【請求項２】
前記薬液投与ラインから分岐する分岐ラインと、
前記分岐ラインに設けられた弁と、
前記分岐ラインを通して排出される排液を収容する排液容器と、
を備えることを特徴とする請求項１に記載の分注投与装置。
【請求項３】
前記排液容器は、前記第１の放射線遮蔽箱に収容されることを特徴とする請求項２に記載の分注投与装置。
【請求項４】
前記薬液用吸引吐出器による吸引吐出点を挟むように逆支弁が設けられていると共に、前記搬送液用吸引吐出器による吸引吐出点を挟むように逆支弁が設けられていることを特徴とする請求項１〜３のいずれかに記載の分注投与装置。
【発明の詳細な説明】
【技術分野】
【０００１】
本発明は、放射性薬液の分注投与装置に関する。
【背景技術】
【０００２】
放射性核種（ＲＩ）で標識した化合物を含む放射性薬液を体内に投与し、この標識化合物が体内の特定箇所に集まった様子を専用の装置で撮像することによって、疾病等を診断する核医学診断法が開発されている。この診断法では、比較的短寿命の放射性核種（例えば、ポジトロン放出核種として、15Ｏは２分、11Ｃは２０分、18Ｆは１１０分の半減期を持つ）で標識された、15Ｏ−水や11Ｃ−メチオニンや18Ｆ−ＦＤＧ（フルオロデオキシグルコース）等が放射性薬液として用いられる。
【０００３】
この放射性薬液を正確に分注して被験者に投与する分注投与装置として、例えば特許文献１に開示されているものがある。この分注投与装置では、シリンジを用いてバイアル瓶から所定量の放射性薬液を引き出し、これを押し出して被験者に繋がるチューブ内に分注する。そして、分注された放射性液体を生理食塩水と共に送り出して、被験者に投与する。この分注投与装置は、放射線漏洩を防ぐため、全体が厚い放射線遮蔽隔壁に被覆されている。
【特許文献１】特開２００２−３０６６０９号公報
【発明の開示】
【発明が解決しようとする課題】
【０００４】
しかしながら、上記した従来の分注投与装置では、全体が厚い放射線遮蔽隔壁に被覆されているため、放射線遮蔽能は高いものの重量が重たく、取扱性が悪かった。
【０００５】
本発明は、上記した事情に鑑みてなされたものであり、放射線遮蔽能を高く維持しつつ軽量化を図ることが可能な分注投与装置を提供することを目的とする。
【課題を解決するための手段】
【０００６】
本発明に係る分注投与装置は、放射性薬液を必要量分注して投与するための分注投与装置であって、放射性薬液を収容する放射性薬液収容容器、放射性薬液を吸引吐出する薬液用吸引吐出器、及びこれらを繋ぎ放射性薬液を搬出する薬液搬出ラインを囲む第１の放射線遮蔽箱と、第１の放射線遮蔽箱、薬液搬出ラインに接続された薬液投与ライン、及び放射性薬液を搬送する搬送液を吸引吐出し薬液投与ラインに供給する搬送液用吸引吐出器を囲み、第１の放射線遮蔽箱よりも遮蔽能力の低い第２の放射線遮蔽箱と、を備えることを特徴とする。
【０００７】
この分注投与装置によれば、放射線の放出が多い部分を第１の放射線遮蔽箱で囲み、放射線の放出が少ない部分をより遮蔽能力の低い第２の放射線遮蔽箱で囲んでいるため、全体を遮蔽能力の高い遮蔽箱で囲む必要がなくなって、放射線遮蔽能を高く維持しつつ軽量化を図ることが可能となる。
【０００８】
分注投与装置は、薬液投与ラインから分岐する分岐ラインと、分岐ラインに設けられた弁と、分岐ラインを通して排出される排液を収容する排液容器と、を備えると好ましい。このようにすれば、所望の放射性薬液が分注されていない場合等において、分岐ラインを通して排液容器に排出することができる。
【０００９】
排液容器は、第１の放射線遮蔽箱に収容されると好ましい。このようにすれば、分注投与装置から漏れる放射能量を一層低減することができる。
【００１０】
薬液用吸引吐出器による吸引吐出点を挟むように逆支弁が設けられていると共に、搬送液用吸引吐出器による吸引吐出点を挟むように逆支弁が設けられていると好ましい。このようにすれば、三方活栓のような流路切換手段が不要になり、電気的・機構的な不具合が生じるおそれが低減され、信頼性が向上する。また、取り付けも容易になる。
【発明の効果】
【００１１】
本発明の分注投与装置によれば、放射線遮蔽能を高く維持しつつ軽量化を図ることができる。その結果、取扱性の向上を図ることが可能となる。
【発明を実施するための最良の形態】
【００１２】
以下、図面を参照しながら本発明の実施形態を説明する。なお、以下の説明においては、同一の要素には同一の符号を用いることとし、重複する説明は省略する。
【００１３】
図１は、本実施形態に係る放射性液体の分注投与装置１０の構成を示す図である。図１に示すように、分注投与装置１０は、放射性薬液を貯留するバイアル瓶（放射性薬液収容容器）１２を収容する収容部１４を有している。この収容部１４には、例えば鉛やタングステン等の材料からなる箱１６に入ったバイアル瓶１２が傾斜した状態で上部開口から収容され支持されている。
【００１４】
また分注投与装置１０は、放射性薬液を分注するためのシリンジ（薬液用吸引吐出器）１８を保持する保持部２０を有している。この保持部２０は、例えばシリンジ１８を下端から挿通して保持する筒型の容器であり、全体が放射線を遮蔽する鉛やタングステン等の材料から形成されている。
【００１５】
シリンジ１８は、シリンダ２２とこのシリンダ２２内で摺動するピストン２４とを備えている。ピストン２４の先端には、ゴム等の弾性体から形成されたパッキンが設けられている。このピストン２４には、例えばステッピングモータ等のピストン２４を押し引きする図示しない駆動装置が接続されている。従って、ピストン２４をシリンダ２２内で押し引きすることで、先端口から放射性薬液を吸引したり、吐出したりすることができる。
【００１６】
そして、シリンジ１８の周りには、放射能を計測するための定量センサ２６が設けられている。この定量センサ２６により、シリンジ１８に収容された放射性薬液の放射能量を計測することができる。
【００１７】
上記したバイアル瓶１２とシリンジ１８とは、薬液搬出ラインＬ１を介して連絡されている。薬液搬出ラインＬ１の一端にはカテラン針２９が設けられており、このカテラン針２９がバイアル瓶１２内に差し込まれる。薬液搬出ラインＬ１の他端は、薬液投与ラインＬ２及び生理食塩水（搬送液）を導入する生食導入ライン（搬送液導入ライン）Ｌ３との接続点まで延びている。薬液搬出ラインＬ１は途中で分岐しており、分岐点でシリンジ１８と接続されている。
【００１８】
薬液搬出ラインＬ１上でこの分岐点（吸引吐出点）を挟むように、一対の逆支弁２８が設けられている。これら一対の逆支弁２８により、放射性薬液の流れ方向が一方向に規制されている。
【００１９】
また分注投与装置１０は、生理食塩水パック３０から生理食塩水を薬液投与ラインＬ２に導入する生食導入ラインＬ３と、生理食塩水を吸引吐出するためのシリンジ（搬送液用吸引吐出器）３２を備えている。生食導入ラインＬ３の一端は生理食塩水パック３０に接続されている。生食導入ラインＬ３の他端は、薬液投与ラインＬ２及び薬液導入ラインＬ１との接続点まで延びている。生食導入ラインＬ３は途中で分岐しており、この分岐点でシリンジ３２と接続されている。
【００２０】
生食導入ラインＬ３上でこの分岐点（吸引吐出点）を挟むように、一対の逆支弁３４が設けられている。これら一対の逆支弁３４により、生理食塩水の流れ方向が一方向に規制されている。
【００２１】
また分注投与装置１０は、放射性薬液を被験者への投与に向けて搬送する薬液投与ラインＬ２を備えている。薬液投与ラインＬ２の一端は、薬液導入ラインＬ１及び生食導入ラインＬ３との接続点まで延びている。この接続点には三方管３６が設けられており、三つの開口にそれぞれ薬液投与ラインＬ２、薬液導入ラインＬ１及び生食導入ラインＬ３が接続されている。
【００２２】
薬液投与ラインＬ２の他端は、エアベントフィルタ３８まで延びている。エアベントフィルタ３８は、空気を遮断する。このエアベントフィルタ３８の前段には逆支弁４０が設けられており、薬液の逆流を規制している。なお、逆支弁４０は省略してもよい。薬液投与ラインＬ２は途中で分岐しており、この分岐ラインＬ４の末端には排液を収容する排液バイアル（排液容器）４２が接続されている。この分岐ラインＬ４上には、ピンチバルブ４４が設けられている。
【００２３】
また、薬液投与ラインＬ２の途中で分岐ラインＬ４の分岐点の後段には、ピンチバルブ４８が設けられていると共に、ピンチバルブ４８の後段には、放射性薬液の通過を検知する放射線通過センサ４６が設けられている。
【００２４】
また分注投与装置１０は、最終投与ラインＬ５を備えている。最終投与ラインＬ５の一端は、エアベントフィルタ３８に接続されている。一方、最終投与ラインＬ５の他端は、翼付針５０に接続されている。更に分注投与装置１０は、外側放射線遮蔽箱６２の外側から内側放射線遮蔽箱６０内の排液バイアル４２まで延びる排液導入ラインＬ６を備えている。排液導入ラインＬ６の外端には、ゴム等からなる密閉栓５２が設けられている。密閉栓５２は、翼付針５０を突き刺すことで、翼付針５０から排出される不要な排液を排液導入ラインＬ６を通して排液バイアル４２に収容可能になっている。
【００２５】
上記した部材が、翼付針５０が接続された最終投与ラインＬ５の一部を外に出した状態で、外側放射線遮蔽箱（第２の放射線遮蔽箱）６０に収容されている。特に、箱１６に収容されたバイアル瓶１２、シリンジ１８、これらを接続する薬液導入ラインＬ１、及び第１排液バイアル４２が、内側放射線遮蔽箱（第１の放射線遮蔽箱）６２に収容されている。これら内側及び外側放射線遮蔽箱６０，６２は、放射線を遮蔽する鉛やタングステン等の材料から形成されている。そして、内側放射線遮蔽箱６２の放射線遮蔽能力が、外側放射線遮蔽箱６０の放射線遮蔽能力よりも大きく構成されている。例えば、内側放射線遮蔽箱６２は、鉛により３０ｍｍ〜５０ｍｍの厚みで形成されており、一方、外側放射線遮蔽箱６０は、鉛により５ｍｍ〜１０ｍｍの厚みで形成されている。単位面積当たりの遮蔽能力で比較すると、内側放射線遮蔽箱６２の放射線遮蔽能力は、外側放射線遮蔽箱６０の放射線遮蔽能力よりも約２２〜１０６４倍程度だけ大きく構成されている。
【００２６】
なお、生理食塩水パック３０、及びエアベントフィルタ３８から先の最終投与ラインＬ５は、外側放射線遮蔽箱６０から出し入れ可能に構成されている。
【００２７】
また、一対の逆支弁２８及び逆支弁３４はそれぞれ一体に設けられていると好ましく、またこれら一体の逆支弁２８、逆支弁３４、及び三方管３６が連続して接続されていると好ましい。このようにすれば、接続作業が容易になる。
【００２８】
次に、本実施形態に係る分注投与装置１０による放射性薬液の分注投与方法について説明する。
【００２９】
まず、放射性薬液を貯留するバイアル瓶１２を収容部１４に収容し、カテラン針２９をバイアル瓶１２内に差し込む。放射性薬液としては、例えば18Ｆ−ＦＤＧ（フルオロデオキシグルコース）や15Ｏ−水や11Ｃ−メチオニンを用いることができる。
【００３０】
次に、生理食塩水パック３０に入った生理食塩水を、生食導入ラインＬ３を介してシリンジ３２内に一定量引き込む。次に、シリンジ３２のピストンを所定量押し戻し、薬液投与ラインＬ２に生理食塩水を導入する。このとき、ピンチバルブ４４，４８を開放して、薬液投与ラインＬ２、分岐ラインＬ４及び最終投与ラインＬ５を生理食塩水で満たす。そして、ピンチバルブ４８を閉じる。
【００３１】
次に、バイアル１２に入った放射性薬液を、薬液搬出ラインＬ１を介してシリンジ１８内に一定量引き込む。次に、シリンジ１８のピストン２４を所定量押し戻し、薬液投与ラインＬ２に放射性薬液の一部を搬出する。そして、シリンジ３２のピストンを所定量押し戻し、薬液投与ラインＬ２に生理食塩水を導入する。このとき、ピンチバルブ４４は開放されているため、薬液投与ラインＬ２上に搬入された余分の放射性薬液が、分岐ラインＬ４から生理食塩水と共に排液バイアル４２に排出される。
【００３２】
この状態で、シリンジ１８のピストンを押し戻し、被験者への投与に必要な容量の放射性薬液を薬液投与ラインＬ２に搬出する。シリンジ１８の周りには定量センサ２６が設けられているため、シリンジ１８内の放射性薬液の放射能量を計測することができ、これに基づいて、必要放射能量から被験者への投与に必要な容量が算出される。このように必要量の放射性薬液が薬液投与ラインＬ２に搬出されると、放射性液体の分注分だけ生理食塩水が分岐ラインＬ４から排液バイアル４２に送られる。そして、ピンチバルブ４４を閉じる。
【００３３】
このようにして投与の準備ができた後で、ピンチバルブ４８を開くと共に、シリンジ３２のピストンを押し戻し生理食塩水を薬液投与ラインＬ２に導入して、薬液投与ラインＬ２に搬出された必要量の放射性薬液を押し流し、最終投与ラインＬ５を通して被験者に投与する。
【００３４】
なお、放射性薬液を薬液投与ラインＬ２に分注したが、時間が経過してしまって使えなくなったときや、必要量でない放射性薬液が分注されてしまったときのように、被験者への投与に適さないときは、ピンチバルブ４８を閉じピンチバルブ４４を開いた状態でシリンジ３２により生理食塩水を薬液投与ラインＬ２に導入することで、分岐ラインＬ４を通して不要な廃液を排液バイアル４２に送る。
【００３５】
以上、詳述したように本実施形態に係る分注投与装置１０では、放射線の放出が多い部分を内側放射線遮蔽箱６２で囲み、放射線の放出が少ない部分をより遮蔽能力の低い外側放射線遮蔽箱６０で囲んでいるため、全体を遮蔽能力の高い遮蔽箱で囲む必要がなくなって、放射線遮蔽能を高く維持しつつ軽量化を図ることが可能となる。
【００３６】
また、分注投与装置１０は、薬液投与ラインＬ２から分岐する分岐ラインＬ４と、分岐ラインＬ４に設けられたピンチバルブ４４と、分岐ラインＬ４を通して排出される排液を収容する排液バイアル４２とを備えるため、所望の放射性薬液が分注されていない場合等において、分岐ラインＬ４を通して排液バイアル４２に排出することができる。
【００３７】
そして、この排液バイアル４２も内側放射線遮蔽箱６２に収容されるため、分注投与装置１０から漏れる放射能量を一層低減することができる。
【００３８】
更に、シリンジ１８による吸引吐出点を挟むように逆支弁２８が設けられていると共に、シリンジ３２による吸引吐出点を挟むように逆支弁３４が設けられているため、三方活栓のような流路切換手段が不要になり、電気的・機構的な不具合が生じるおそれが低減され、信頼性が向上する。また、取り付けも容易になる。
【図面の簡単な説明】
【００３９】
【図１】本実施形態に係る放射性薬液の分注投与装置の構成を模式的に示す図である。
【符号の説明】
【００４０】
１０…分注投与装置、１２…バイアル瓶、１８…シリンジ、２８，３４…逆止弁、３２…シリンジ、４２…排液バイアル、４４，４８…リリーフ弁、６０…外側放射線遮蔽箱、６２…内側放射線遮蔽箱、Ｌ１…薬液搬出ライン、Ｌ２…薬液投与ライン、Ｌ３…生食導入ライン、Ｌ４…分岐ライン、Ｌ５…最終投与ライン。
【図１】
2008000201.tif 000003